(57)【要約】【課題】ＬＥＤバックライトを用いた液晶ディスプレイ機器において、均一で、高輝度な画質を得るための技術を提供する。【解決手段】液晶ディスプレイと(3)、液晶ディスプレイの背面に配置され、該液晶ディスプレイに光を照射する直下型バックライトである複数の発光ダイオード(7)とを備え、少なくとも1つ以上の発光ダイオード毎に対応して、透光性部材で形成された導光部材(5)を設け、前記導光部材(5)は筒状の形状を為しており、該筒状の導光部材の外壁面(53)と内壁面(52)の各々は反射面が構成され、これら反射面により発光ダイオードから光を反射して液晶ディスプレイ側へ導くようにした。【選択図】  図４
2009070589.tif 000002
【特許請求の範囲】
【請求項１】
液晶ディスプレイと、前記液晶ディスプレイの背面に配置され、該液晶ディスプレイに光を照射する直下型のバックライトとを有する液晶ディスプレイ機器において、
前記バックライトは、複数の発光ダイオード群であって、
前記複数の発光ダイオードの少なくとも1つ以上毎に対応して設けられた透光性の導光部材を備え、
前記透光性の導光部材は、前記液晶ディスプレイの表示面と直交する方向に導光部を設けた筒状の形状を為しており、該筒状の導光部材の外壁面と内壁面の各々には反射面が構成され、これら反射面により前記発光ダイオードから光を反射するとともに、導光部材によって導光して前記液晶ディスプレイ側へ導くように構成した
ことを特徴とする液晶ディスプレイ機器。
【請求項２】
請求項１に記載の液晶ディスプレイ機器において、前記筒状の導光部材は、前記液晶ディスプレイの表示面と平行な断面の形状が多角形もしくは円形であることを特徴とする液晶ディスプレイ機器。
【請求項３】
請求項１に記載の液晶ディスプレイ機器において、
前記導光部材の液晶ディスプレイ側の内壁面と外壁面は、所定の長さを有する並行壁面で構成され、
前記導光部材の内壁面の、前記発光ダイオード側の端部は、前記導光部材の外壁面の、前記発光ダイオード側の端部よりも前記液晶ディスプレイ側に位置しており、前記内壁面の前記発光ダイオード側の並行壁面の端部と外壁面の前記発光ダイオード側の並行壁面の端部側との間に傾斜面が形成されていることを特徴とする液晶ディスプレイ機器。
【請求項４】
請求項１乃至３のいずれかに記載の液晶ディスプレイ機器において、
前記導光部材の、前記液晶ディスプレイ側と対向する面に、前記発光ダイオードの光を拡散して出射する微細な凹凸拡散パターンを形成したことを特徴とする液晶ディスプレイ機器。
【請求項５】
請求項１乃至４のいずれかに記載の液晶ディスプレイ機器において、
前記導光部材と、前記液晶ディスプレイとの間に、前記発光ダイオード群からの光及び前記導光部材で導かれた光を拡散する拡散部材を配置したことを特徴とする液晶ディスプレイ機器。
【請求項６】
請求項４に記載の液晶ディスプレイ機器において、
前記導光部材の傾斜面に、プリズムパターンを形成したことを特徴とする液晶ディスプレイ機器。
【発明の詳細な説明】
【技術分野】
【０００１】
本発明は、液晶ディスプレイ機器に係わり、特に発光ダイオードによるバックライトの光を好適に液晶ディスプレイに照射するため工夫が為された液晶ディスプレイ機器に関する。
【背景技術】
【０００２】
液晶ディスプレイのさらなる画質の向上や薄型化のために、バックライトとして、発光ダイオード（ＬＥＤ）を用いる場合がある。また、液晶ディスプレイの大型化に伴って、ＬＥＤによるバックライト方式は、サイドライト型（ＬＥＤを液晶パネルの側面に配置する方式）から直下ライト型（液晶パネルの背面にＬＥＤを配置する方式）に移行されることになる。
【０００３】
ＬＥＤは、一般的に所定の指向性を有する点光源であることから、液晶ディスプレイの直下のＬＥＤから輻射される光を液晶ディスプレイに均一な面光源として照射する必要がある。
【０００４】
ＬＥＤからの光を均一化するための従来技術としては、例えば特許文献１乃至３に記載のものが知られている。
【０００５】
特許文献１は、回路基板に配列された複数のＬＥＤ光源のそれぞれに対して、各ＬＥＤ光源からの光の出射方向を制御するためのプリズム構造を形成した光制御板を設けた技術を開示する。
【０００６】
特許文献２は、透明な導光板の一方の面の略中央に設けた凹部に光源を配し、この光源の光を導光板により導光し、導光板の出射面から出射するバックライト装置であって、上記導光板の一方の面に、光源からの光を反射させるための同心円状のプリズムを設けた技術を開示する。
【０００７】
また特許文献３は、発光源（ＬＥＤ）からの光を拡散、偏光する透光手段が、発光源からの所定の入射角の光を反射する特性を持つ偏光部材とし、更に、該偏光部材からの反射光を再反射させて透光手段へ出射する再反射部材を設けた技術を開示する。
【０００８】
【特許文献１】特開２００６−３４４４０９号公報
【特許文献２】特開２００７−４８４８９号公報
【特許文献３】特開２００７−５９１４６号公報
【発明の開示】
【発明が解決しようとする課題】
【０００９】
特許文献１に記載のものは、ＬＥＤ光源からの高角輻射光については考慮されていない。ここで、高角輻射光とは、ＬＥＤ光源の光軸（発光面に垂直な方向）から大きな角度を持ってＬＥＤ光源から出射される光であり、回路基板の主平面に近い方向への角度で出射される光である。特許文献１は、ＬＥＤ光源の光出射側における対向位置に光制御板を設ける構成であるため、かかる高角輻射光を液晶ディスプレイ側に向けるように制御することは困難となる。
【００１０】
特許文献２に記載のものは、この光源は、全側面を発光面とする発光ダイオードとしたバックライト装置である。しかしながら、導光板の中心から全ての方向に光を伝播する構成は、基本的にサイドライト型バックライトの原理による応用であり、光源から離れるに従い光の輝度が低下するとのサイドライト型の課題を有し、その配慮はなされていない。
【００１１】
特許文献３に記載のものは、光源の光を所望の方向に進行させるために、反射部材を多用して制御し、また発光源と反射部材を一体に構成しているため光源の構造が複雑となる。また、発光源の反射部材によって出射される光は、発光源と反射部材とプリズムシートとの位置関係によって決められるため、バックライト装置としての性能を独自に定めることができず、液晶表示装置の構造ごとに発光源の設置位置を定める必要があり、また上記部材の位置精度により輝度性能が変化する可能性がある。
【００１２】
本発明は、上記課題に鑑みて為されたものであり、その目的は、バックライトとしてＬＥＤを用いた液晶ディスプレイ機器において、大面積の液晶ディスプレイを均一に高輝度に照射するための技術を提供することにある。
【課題を解決するための手段】
【００１３】
上記目的を達成するために、本発明は、特許請求の範囲に記載された構成を特徴とするものである。
【００１４】
すなわち、本発明に係る液晶ディスプレイ機器は、液晶ディスプレイと、前記液晶ディスプレイの背面に配置され、該液晶ディスプレイに光を照射する直下型のバックライトを有し、前記バックライトは、複数の発光ダイオード群であって、前記複数の発光ダイオードのうち少なくとも1つ以上毎の発光ダイオードに対応して設けられた、透光性の導光部材を備え、前記導光部材は前記液晶ディスプレイの表示面と直交する方向に導光する筒状の形状を為しており、該筒状の導光部材の外壁面と内壁面の各々には、反射面が構成され、これら反射面により前記発光ダイオードから光を反射するとともに、導光部材によって導光して前記液晶ディスプレイ側へ導くように構成したことを特徴とするものである。
【００１５】
前記筒状の導光部材は、前記液晶ディスプレイの表示面と平行な断面の形状が多角形もしくは円形であってもよい。
【００１６】
また、前記導光部材の液晶ディスプレイ側の内壁面と外壁面は、所定の長さを有する並行壁面で構成され、前記導光部材の内壁面の、前記発光ダイオード側の端部は、前記導光部材の外壁面の、前記発光ダイオード側の端部よりも前記液晶ディスプレイ側に位置しており、前記内壁面の前記発光ダイオード側の並行壁面の端部と外壁面の前記発光ダイオード側の並行壁面の端部とが傾斜面で接続されていてもよい。
【００１７】
更に、前記導光部材の、前記液晶ディスプレイ側と対向する面に、前記発光ダイオードの光を拡散して出射する微細な凹凸拡散パターンを形成してもよい。
【００１８】
更にまた、前記導光部材と、前記液晶ディスプレイとの間に、前記発光ダイオード群からの光及び前記導光部材で導かれた光を拡散する拡散部材を配置してもよい。更にまた、前記導光部材の傾斜面に、プリズムパターンを形成してもよい。
【発明の効果】
【００１９】
上記の本発明の構成によれば、バックライトとしてＬＥＤを用いた液晶ディスプレイ機器において、大面積の液晶ディスプレイを均一に高輝度に照射することが可能となる。
【発明を実施するための最良の形態】
【００２０】
以下、本発明の実施形態について図面を参照して説明する。
【実施例１】
【００２１】
図１は、液晶ディスプレイ機器の概略構成図である。図１の正面図においては、説明を解かり易くするために構成部品の一部である液晶ディスプレイ３を透視して示している。液晶ディスプレイ機器１の筐体２内には、情報を表示する液晶ディスプレイ３と、液晶ディスプレイ３の背面にバックライト装置としての複数個のＬＥＤ光源（以下、単に「ＬＥＤ」と称する）７と、ＬＥＤ７を縦横のマトリックス状に載置した回路基板４とが配置されている。回路基板４と液晶ディスプレイ３との間には、点光源のＬＥＤ７の光を面光源として、液晶ディスプレイ３を高輝度に照射するための導光部材５を有している。さらには、導光部材５から出射された光や、ＬＥＤ７から直接照射される光を液晶ディスプレイ３に均一に照射するための、板状もしくはシート状に構成された拡散部材６を設けている。ここで、拡散部材６は、導光部材５と一体的に構成してもよい。
【００２２】
つぎに、図２及び図３を参照にして、本発明に係るバックライト装置の第１実施例について説明する。図２は、本発明に係るバックライト装置の第１実施例の概要を示す分解斜視図で、図３はその断面図である。尚、図２、図３は、説明を容易にするために１組のバックライト装置のみを図示しているが、実際にはこの１組のバックライト装置は、前述のように縦横のマトリックス状に複数を配設されている。また、マトリック状に配設されるＬＥＤ７の間隔は、ＬＥＤ７の光量によって定められるものである。すなわち、１つのＬＥＤ７によって、液晶ディスプレイ３の所定の面積を所望の輝度で照射するように設定されることになる。
【００２３】
よって、本実施例において、複数個のＬＥＤ７を載置する回路基板４の表面積、各ＬＥＤ７に対応して設けられた導光部材５の全ての断面積の合計、及び拡散部材６の表面積は、各々、液晶ディスプレイ３の表示面に略等しい大きさとなる。
【００２４】
ここで、本実施例のバックライト装置は、図２及び図３に示すような回路基板４上に載置された光源（ＬＥＤ）７と、ＬＥＤ７からの光を液晶ディスプレイ３の方向に出射する光として導く導光部材５と、導光部材５からの出射光を拡散し、液晶ディスプレイ３に照射する拡散部材６とを備えているものとする。これにより、ＬＥＤ７の光を液晶ディスプレイ３に均一で高輝度に照射可能にしている。本実施例の導光部材５は、液晶ディスプレイの表示面と直交する方向に導光する筒状の形状を為しており、その内壁面と外壁面のそれぞれに反射面を形成している。これにより、ＬＥＤ７からの光を内壁面と外壁面の反射面でそれぞれ反射させことにより液晶ディスプレイ３へ導くようにしている。筒状の導光部材５は、その液晶ディスプレイの表示面もしくは回路基板４の主平面と平行な断面の形状は、本実施形態では四角形状を為すものとしている。この導光部材５の詳細については後述するものとする。
【００２５】
続いて、本実施例に係るバックライト装置の構造について詳細に説明する。ＬＥＤ７は、回路基板４の液晶ディスプレイ３側の平面４１上に載置され、回路基板４の平面４１、あるいは対向平面４２に付設される配線（図示しない）にワイヤボンディング等によって電気的に接続されて、通電される。そのＬＥＤ７は、光輻射において所定の指向特性をもっている。
【００２６】
導光部材５は、光透過性を有する例えば透明樹脂により形成されている。また導光部材５は、回路基板４の平面４１に載置されており、ＬＥＤ７の四方を囲むように回路基板４の平面４１と直交する方向を中心軸とした筒状に形成している。換言すれば、導光部材５は、その内部が中空にされた四角柱の形状を為しており、その中空部分５７にＬＥＤ７が位置するように回路基板４の平面４１に配置される。更に、本実施例に係る導光部材５は、その内壁面５２と外壁面５３とで形成される肉厚部分（透明樹脂部分）を光の導光部として構成しており、更にまた、内壁面５２と外壁面５３とは、それぞれ反射面が構成されている。従って、本実施形態に係る導光部材５は、ＬＥＤ７を内在する中空部分５７とＬＥＤ７の周辺に位置する肉厚部分の２つの導光部を備えた、複合導光体を構成するものである。ここで内壁面５２と外壁面５３は、４つの各面において互いに平行であるものとする。
【００２７】
尚、図２及び図３に示される実施例における導光部材５の形状は、ＬＥＤ７をマトリックス状に配置するに都合の良い略四角柱の筒状形状としているが、この筒状の平面形状は、円形であっても他の多角形であってもよい。また、本実施例においては、１つのＬＥＤ７に対し１つの導光部材５を設けているようにしているが、複数個（例えば２〜５個）のＬＥＤ７のサブグループとし、そのＬＥＤ７のサブグループを囲うように導光部材５を設けてもよい。すなわち複数個のＬＥＤを単位として、当該複数個のＬＥＤ７毎に導光部材５を設けるようにしてもよい。
【００２８】
導光部材５は、ＬＥＤ７の光を液晶ディスプレイ３に効率良く照射するために、下端部５１をＬＥＤ７の載置されている回路基板４の平面４１と接触、あるいは近接するように配置し、また回路基板４上におけるＬＥＤ７を導光部材５の中空部分５８に包含するように設置される。導光部材５の中心軸方向の寸法（高さ）は、図２に示されるように（ｈ）である。ここで、内壁面５２の下端部５８（すなわちＬＥＤ７側の端部）は、外壁面５３の下端部５１（すなわちＬＥＤ７側の端部）よりも距離（ｈ１）だけＬＥＤ７の光出射側（つまり液晶ディスプレイ３側）に位置している。換言すれば、内壁面５２の下端部５８の位置は、距離（ｈ１）液晶ディスプレイ３側へシフトされている。また内壁面５２の高さは（ｈ２）であり、外壁面５３の上端部と内壁面５２の上端部は同一平面状にあるため、ｈ、ｈ１及びｈ２は、図２に示されるようにｈ＝ｈ１＋ｈ３の関係にある。
【００２９】
更に、外壁面５３の下端部５１と内壁面５２の下端部５８とは、傾斜部５２１で互いに接続されている。すなわち外壁面５３の下端部５１と内壁面５２の下端部５８との間には傾斜部５２１が形成されており、この傾斜部５２１は、外壁面５３の下端部に向かって漸次拡大する形状となっている。
【００３０】
ここで、導光部材５の外壁面５３は、導光部材５に入射された光を反射させ液晶ディスプレイ３に導光する反射面として作用させるための処理が施されている。すなわち、ＬＥＤ７から輻射され導光部材５に入射された光が、導光部材５の外壁面５３より外側の領域には、原則的に出光されない様にしている。よって、導光部材５の外壁面５３の幅（Ｄ）は、液晶ディスプレイ３を所望の輝度で照射する所望の範囲（Ｌ）に対応して設定されることになる。一方、導光部材５の内壁面５２の幅（ｄ）は、ＬＥＤ７の指向特性、すなわちＬＥＤからの出射光の指向角度に基づいて設定される（詳細は後述する）。
【００３１】
さらには、導光部材５の下部（ＬＥＤ７側）に設けられる傾斜面５２１には、ＬＥＤ７からの光を導光部材５に入射し、液晶ディスプレイ３方向に導光するためのプリズムパターン５５（図３は概念的な形状を拡大して図示）が形成されている。ここで、プリズムパターン５５は、傾斜面５２１の全平面に渡って形成されているものとする。また、導光部材５の液晶ディスプレイ３と対向する上側の平面５４は、導光部材５に入射された光を出射する面であり、例えば図３に示されるように、光を拡散して液晶ディスプレイ３に照射するための凹凸拡散パターン５６を形成してもよい。また、内壁面５２にも、外壁面５３による反射光を反射する面として、またＬＥＤ７からの直接の高角輻射光を反射する面として、反射処理の加工が施されて反射面とされている。
【００３２】
図２及び図３に示す第１の実施例における導光部材５は、中央部で上下に貫通した筒状としていることから、ＬＥＤ７の指向特性によって、低角輻射光が中央の中空部分５７から液晶ディスプレイ３に直接照射される。このため、液晶ディスプレイ３の中空部分５７と対応する部分の輝度が他の部分と比べて非常に高くなり、液晶ディスプレイ３に輝度むらが生じる原因となる。これを回避するために、導光部材５と液晶ディスプレイ３の間にＬＥＤ７の光を拡散する拡散部材６を配置することが好ましい。
【実施例２】
【００３３】
上記第１実施例は、拡散部材６と導光部材５を別部材として構成しているが、拡散部材６と導光部材５とを一体的に構成してもよい。これを本発明の第２実施例として図４を参照しつつ説明する。図４において、導光部材５の中央部の上部（液晶ディスプレイ３側の部分）には、凹凸拡散パターン５６が形成された拡散面５４２が中空部分５７を覆うように設けられている。つまり本実施例は、第１の実施例に比べ、中空部分５７の上部が拡散面５４２により覆われている点で相違しており、傾斜面５２１、プリズムパターン５５、内壁面５２及び外壁面５３の構成、機能等は第１の実施例と同一である。
【００３４】
本実施例に係る導光部材は、中空部分を有する筒状の導光部材５と、その上側を覆うように導光部材５の上面に取り付けられた拡散面５４２とにより箱型の形状を為している。すなわち本実施例は、実質的に導光部材５と拡散部材６とを一体化させたものであり、第１実施例における導光機能と拡散部材６の拡散機能とを併せ持つものとなっている。従って本実施例に拠れば、ＬＥＤ７の光を液晶ディスプレイ３に導光、および拡散するバックライト装置が、より簡素な構造として実現できる。
【００３５】
次に、ＬＥＤ７からの光が導光部材５によって液晶ディスプレイ３へ導かれる様子を、図４に示すように、３つの光（（イ）光、（ロ）光、（ハ）光）を例にして説明する。尚、以下に説明するＬＥＤ７からの光の導光の様子は、先に説明した第１実施例でも同様である。
【００３６】
ＬＥＤ７の光は、所定の指向特性を有しており、その指向特性よって定まる指向角度をαとする。この指向角度αの範囲内においてＬＥＤ７から出射される（イ）光、すなわち低角輻射光は、導光部材５の内壁面５２に入射する（当たる）ことなく直接拡散面平面５４２に入射される。ここで低角輻射光は、ＬＥＤ７の光軸に対して小さい角度（ここでは指向角度α以内）でＬＥＤ７から出射される光とする。また、角度αの範囲の境界を直線Ａで示すものとする。この低角輻射光は、拡散面５４２の出射面に形成された凹凸拡散パターン５６により拡散されて液晶ディスプレイ３に照射される。これにより、ＬＥＤ７からの光を、液晶ディスプレイ３上に高輝度でかつ均一に照射することができる。
【００３７】
ここで、ＬＥＤ７からの低角輻射光が液晶ディスプレイ３を直接照射できる範囲は、直線Ａと液晶ディスプレイ３のＬＥＤ７側の面と交差する位置より内側のエリアとなる。仮に、図４の（イ）光で示された低角輻射光のみで液晶ディスプレイ３を照射するならば、導光部材５を用いずに、拡散部材６のみで低角輻射光を液晶ディスプレイ３上にほぼ均一に照射することができる。しかしながら、この場合、ＬＥＤ７が液晶ディスプレイ３を照射可能なエリアは、図４の（ｌ）に示すように狭くなってしまう。照射可能エリアを例えば図４の（Ｌ）まで広げようとする場合は、ＬＥＤ７の液晶ディスプレイ３に対する距離を長くする必要がある。この場合、液晶ディスプレイ機器の奥行きが大きくなり、機器の薄型化に不利となる。またＬＥＤ７からの液晶ディスプレイ３までの距離が離れるために液晶ディスプレイ３照射する光の全体の輝度を低下することになる。また、照射エリア（ｌ）のままＬＥＤ間の輝度むらが無いようにＬＥＤを配置しようとすると、ＬＥＤ相互間の配置間隔を狭める必要があり、このため使用するＬＥＤの個数も増大する。
【００３８】
液晶ディスプレイ機器１の薄型化、およびＬＥＤ７の光源数の削減を図りながら、かつ簡素な構成によって高輝度で均一な画質を得るためには、上述した低角輻射光のみならず、ＬＥＤ７の指向角度αよりも大きい出射角度を持つ高角輻射光の（ロ）光、（ハ）光を利用する必要がある。本実施形態では、このような高角輻射光を、上述した導光部材５によって有効に利用して、液晶ディスプレイ機器１の薄型化及び部品点数の削減をしつつ高画質な映像を得るようにしたものである。
【００３９】
すなわち、図４に示すように、指向角度αの範囲の境界を示す直線Ａと拡散面５４２とが交差する位置に導光部材５の内壁面５２を設ける。これにより、ＬＥＤ７の指向角度αよりも大きな高角輻射光は、導光部材５の内壁面５２に入射される。高角輻射光の（ロ）光、（ハ）光のうち、空気中から導光部材５への入射光の臨界角（β度）以上の出射角を持つ光（例えば（ロ）光）は内壁面５２に入射されて反射され、拡散面５４２に導かれる。内壁面５２における反射損失を低減するために、内壁面５２は反射処理がなされている。
【００４０】
臨界角βよりもさらに高角輻射の（ハ）光は、導光部材５の傾斜面５２１に屈折入射される。図５は、高角輻射光の傾斜面５２１への入射状態を説明する図である。図５（ｂ）は、傾斜面５２１への入射状態を説明し、図５（ｃ）は傾斜面５２１に設けられたプリズムパターン５５への入射状態を説明している。また、図５（ａ）は比較のために、導光部材５に傾斜面５２１を設けない場合の光の導光状態を示す。
【００４１】
図５（ｂ）、（ｃ）に示すように、傾斜面５２１に入射された高角輻射の（ハ）光は、傾斜面５２１で屈折されて進行方向を変え、外壁面５３に入射される。外壁面５３は、導光部材５に入射された光を損失無く液晶ディスプレイ３に照射するために反射面とされている。従って、この外壁面５３に入射された光は、外壁面５３で全反射され、場合によっては更に再度内壁面５２によって全反射され、拡散面５４２の導光部材の上面部もしくは上側の平面５４に導かれる。この構成によって、高角輻射の（ハ）光は、損失が低減されつつ、拡散面５４２の凹凸拡散パターン５６、もしくは平面５４の凹凸拡散パターン５６により拡散されて液晶ディスプレイ３を均一に照射する。
【００４２】
図５（ｂ）に示されるように、この臨界角βの範囲の境界を示す直線Ｂと内壁面５２とが交差する点（内壁面５２の下端部５８）を始点として、導光部材５の下端部に向かって傾斜面５２１が形成されている。この傾斜面５２１は、導光部材５の下端部に向かって漸次拡大する形状となっている。このように導光部材５に傾斜面５２１を設けることによって、外壁面５３に向かう高角輻射光の、外壁面５３に対する入射角を大きくすることができる。この傾斜面５２１がない場合、図５（ａ）に示されるように、
高角輻射光の外壁面５３への入射角が小さくなり、高角輻射光は外壁面５３と内壁面５２との間で反射を繰り返す回数が増加する。よって、本実施例では、傾斜面５２１によって高角輻射光の外壁面５３への入射角を大きくし、高角輻射光を外壁面５３で全反射し易くしている。
【００４３】
また、図５（ｃ）に示すように、傾斜面５２１にプリズムパターン５５を形成してもよい。これにより、傾斜面５２１に入射した光の進行方向をより早く液晶ディスプレイ３側に向けることができ、さらには、外壁面５３への入射角を大きくして全反射をより発生させやすくすることができる。
【００４４】
本実施形態の導光部材５は、ＬＥＤ７の指向特性に対応して、ＬＥＤ７の低角輻射光と高角輻射光を各々最適な導光方法により、損失を低減して液晶ディスプレイ３への照射することができる。本実施形態の導光部材５は、反射光の損失を無くす、もしくは損失を低減しつつ照射方向に導光することができる。これにより、本実施形態によれば、ＬＥＤ７の点光源を液晶ディスプレイ３に面光源として利用することができ、機器の薄型化を達成しつつ、より均一で高輝度な画質の液晶ディスプレイ機器を実現できる。
【００４５】
尚、内壁面５２及び外壁面５３は平面形状であり、その反射面の処理は、高反射性のシート部材等を導光部材５に貼り付けることにより行うことができる。また、導光部材５の内壁面５２及び外壁面５３に高反射性の塗料を塗布してもよく、またアルミニウームや銀等の高反射率の金属を蒸着して構成しても良い。
【００４６】
本実施形態における１組のバックライト装置は、液晶ディスプレイ３の所定の面積（Ｌ）を所望の輝度で照射するために、照射面積（Ｌ）に略等しい大きさ（Ｄ）の導光部材５を用いる構成としていることから、１組のバックライト装置の照射能力を適宜設定することができ、かつ同一の性能状態を確保できる。よって、液晶ディスプレイ３の表示面積に応じて１組のバクライト装置を複数組み合わせて一体構成として、所望の画面サイズに対応するバックライト装置を提供でき、かつ画面サイズに係わらず所定の輝度を得ることが容易に実現できるものである。
【００４７】
また、大画面に対応するバックライト装置でありながら、小形のバックライト装置の結合体で構成しているので、導光部材等の生産において小形の製造設備で対応が可能であり、画面サイズに対応した新たな開発も省略でき生産の効率化が図れる。さらには、同一物を多量に生産することから価格の低減等も図れる等の効果を有するものである。
【００４８】
尚、複数個のバックライト装置を、枠体部材により保持することで結合してもよく、またバックライト装置同士を接着によって互いに結合してもよい。
【図面の簡単な説明】
【００４９】
【図１】液晶ディスプレイ機器の概略構成図である。
【図２】本発明におけるバックライト装置の第１実施例を示す図。
【図３】本発明におけるバックライト装置の第１実施例を示す図。
【図４】本発明におけるバックライト装置の第２実施例を示す図。
【図５】高角輻射光の導光部材５への入射の様子を説明する図。
【符号の説明】
【００５０】
１…液晶ディスプレイ機器、２…筐体、３…液晶ディスプレイ、
４  回路基板、５…導光部材、６…拡散部材、７…発光ダイオード。
【図１】
2009070589.tif 000003
【図２】
2009070589.tif 000004
【図３】
2009070589.tif 000005
【図４】
2009070589.tif 000006
【図５】
2009070589.tif 000007